(57)【要約】【課題】杖を安定して立て掛け保持可能であると共に、杖の立て掛け保持及び取り出しが簡便でありつつ確実に可能な杖ホルダを提供する。【解決手段】所定の枠領域と一部に開放部３２を有する枠体３と、開放部の少なくとも一部を閉じるようにして枠体に設けると共に、弾発力をもって開放可能に構成した抑止材３３とから成り、上記枠体の枠面を抑止材側へ向かって若干下方傾斜させて所望の立設部位、例えば、壁面Ｗに固定した支柱２に取り付けて構成する。抑止材は、枠体の枠面より若干下がった位置に配置する。また、支柱に取り付けた枠体から略垂下した床面近傍に所定領域の石突き受け部４を連繋して配置する。【選択図】      図１
2007007158.tif 000002
【特許請求の範囲】
【請求項１】
所定の枠領域と一部に開放部（３２）を有する枠体（３）と、
該開放部（３２）の少なくとも一部を閉じるようにして枠体（３）に設けると共に、弾発力をもって開放可能に構成した抑止材（３３）とから成り、
上記枠体（３）の枠面を略水平にして所望の立設部位（２）に取り付けて成ることを特徴とする杖ホルダ。
【請求項２】
枠体（３）の枠面の設定において、枠面が抑止材側へ向かって若干下方傾斜させたことを特徴とする請求項１記載の杖ホルダ。
【請求項３】
開放部（３２）を立設部位（２）に近接させて枠体（３）を取り付けたことを特徴とする請求項１、又は２記載の杖ホルダ。
【請求項４】
枠体（３）の枠面より若干下がった位置に抑止材（３３）を配置したことを特徴とする請求項１、２、又は３記載の杖ホルダ。
【請求項５】
立設部位（２）に取り付けた枠体（３）から略垂下した床面近傍に所定領域の石突き受け部（４）を配置したことを特徴とする請求項１から４の何れか記載の杖ホルダ。
【請求項６】
枠体（３）と石突き受け部（４）とを一体として又は連繋して形成したことを特徴とする請求項１から５の何れか記載の杖ホルダ。
【発明の詳細な説明】
【技術分野】
【０００１】
本願発明は、杖を立て掛け保持して置くための杖ホルダに関する。
【背景技術】
【０００２】
従来より、歩行時の補助として杖が広く利用されている。この杖は、片方の手によって杖の柄を握り、杖の石突きを地面にあてて自らの体重を支えるようにして使用されるものである。この杖を必要とする者は、高齢者や足が不自由な障害者（以下、「高齢者等」と称する。）、又は健常者であれば登山家などである。
【０００３】
杖は、上述したように歩行時やその場に立った状態を維持する時には必要であるが、一時的に座った状態となる時、例えば、洋式トイレの使用や病院の待合室等でのベンチへの着席時等には必要がなく、かかる場合には、杖を立て掛けて置く必要があった。
【０００４】
上記の理由により、一時的に杖を立て掛け保持する種々の杖ホルダが開発され、使用されてきた。例えば、特許文献１には、床部から高い位置で杖を支える支持部を備えると共に、この支持部を外部に対して開いた形状とする自立型の杖収納スタンドが開示されている。
【０００５】
また、特許文献２は、杖を立て掛け支持する支持部をＣ字形状に開放させて形成し、この開放した支持部先端に突起部を備えた自立型の杖収納器具が開示されている。
【特許文献１】特開２００２―２３８７２５号（第３−４項、第１図）
【特許文献２】実用新案登録第３１０６０８６号（第４項、第１図）
【発明の開示】
【発明が解決しようとする課題】
【０００６】
しかしながら、特許文献１の杖収納スタンドは自立型であるため、設置場所が簡易に移動できる等の使い勝手が良い一方、高齢者等が立て掛けた杖を取り出す時に、バランスを崩して杖や杖収納スタンド又はこれらと一緒に自分自身も転倒してしまう危険があった。この危険性は、特許文献２の杖収納器具でも同様である。
【０００７】
また、特許文献１の杖収納スタンドは、その支持部の一部が切り欠いた形状であるために杖の立て掛け及び取り出しが簡便であるが、杖自体に対して動きを拘束する何らの手段も配置していないため、高齢者等が杖をしっかり保持して取り出しを行わない場合、又は外部からの振動等により杖が杖収納スタンドから逸脱してしまうことがしばしばあった。これは、支持部に小さな突起部を備えた特許文献２の杖収納具でもほぼ同様であった。
【０００８】
そこで、本願発明は上記問題に鑑み為されたものであり、杖を安定して立て掛け保持可能であると共に、杖の立て掛け保持及び取り出しが簡便でありつつ確実に可能な杖ホルダを提供する。
【課題を解決するための手段】
【０００９】
本願発明の杖ホルダは上記問題点に鑑み、以下のように構成している。
すなわち、所定の枠領域と一部に開放部（３２）を有する枠体（３）と、該開放部（３２）の少なくとも一部を閉じるようにして枠体（３）に設けると共に、弾発力をもって開放可能に構成した抑止材（３３）とから成り、上記枠体（３）の枠面を略水平にして所望の立設部位（２）、例えば、壁面に固定した支柱に取り付けて成ることを特徴としている。
【００１０】
枠体（３）は、その枠面が抑止材側へ向かって若干下方傾斜させるようにし、その開放部（３２）を立設部位側となる状態となるように立設部位（２）へ取り付けたことを特徴としている。この場合には、抑止材（３３）は、枠体（３）の枠面より若干下がった位置に配置したことを特徴としている。
【００１１】
また、立設部位（２）に取り付けた枠体（３）から略垂下した床面近傍に所定領域の石突き受け部（４）を配置したことを特徴としている。
【００１２】
さらに、枠体（３）と石突き受け部（４）とを、同質材の棒体や管体から一体として又は連繋して形成したことを特徴としている。
【００１３】
なお、特許請求の範囲の書類と上記の課題を解決するための手段の欄で記載した括弧付き符号は、発明の構成の理解を容易にするため参考として図面符号を付記したもので、この図面上の形態に限定するものでないことはもちろんである。
【発明の効果】
【００１４】
本願発明の杖ホルダは以上の構成を採っているため、枠体に立て掛け保持した杖は、抑止材と石突き受け部により多少の振動等が作用しても枠体外に逸脱することなく、安定して立設状に保持されることとなる。
【００１５】
また、杖の立て掛け保持及び取り出しには抑止材を弾性変形させる必要があるため、この動作をする場合には杖をある程度しっかり握る必要があり、杖を掴み損なって転倒させてしまうことをほぼ防止できる。
【００１６】
また、枠体は全体的に抑止材側に下方傾斜しているため、これに立て掛ける杖も若干ながら傾斜状態となり、座った状態の高齢者等にとっても無理なく杖の柄を掴むことが可能となり、その利便性は大変顕著である。
【発明を実施するための最良の形態】
【００１７】
以下に、本願発明にかかる杖ホルダの最良の実施形態例について、図面に基づき詳細に説明する。
【００１８】
図１は本実施例の杖ホルダの外観を示す斜視図であり、図２は本実施例の杖ホルダの外観を示す側面図であり、図３は本実施例の杖ホルダの抑止材の作用を示す説明図（Ａ）、（Ｂ）である。
【００１９】
本実施例の杖ホルダ１は、例えばタイル等から成る壁面Ｗの適宜の位置に固定して配置され、これに立て掛けた杖Ｓを立設状態で保持するものである。この杖ホルダ１は、立設部位としての支柱２と、支柱２の上端部及び下部にそれぞれ枠体３、石突き受け部４と配設して一体的に構成している。
【００２０】
支柱２は、金属等の硬質材、例えば、鉄、アルミ、ステンレス等から成る棒状又は管体であり、側面部の上下の２箇所に矩形板状の取付板２１を配設している。この取付板２１には長孔状のボルト穴２１ｂが形成され、壁面固定用の吸盤２１ａを配置している。支柱２は、この２個の吸盤２１ａにより壁面Ｗに強固に固定され、さらに長孔状のボルト穴２１ｂにより壁面Ｗに対して上下方向の位置が調整可能としている。なお、支柱２の壁面Ｗへの固定手段は本実施例の吸盤２１ａばかりでなく、アンカーボルト、接着等の別手段を用いて良いことはもちろんである。
【００２１】
枠体３は、支柱２と同じ材質から成る棒体又は管体であり、支柱２の上端部から反壁面側に迫り出すと共に略半円の湾曲部３１を成し、その先端側と壁面とにより開放部３２を一体的に形成した構成である。この枠体３は、本実施例では支柱２と同質材により一体的に形成しているが、別体に形成して連結するようにしても良く、湾曲部３１も半円状ではなく適宜に屈曲部を入れて枠を成せば何れの形状でも良い。
【００２２】
また、枠体３の先端側は、反壁面側から小さく一回転して枠体３の他の部位の下を潜るように壁面側の支柱２に向かって曲げており、管状の抑止材３３を配設している。抑止材３３は、弾発性を有する材質であれば、例えば、ゴム、コイルバネ、板バネ、ウレタン等の樹脂、等で良く、その形状も棒状又は板状から適宜に選択することができる。この抑止材３３の配設により、枠体３には開放部３２を持って一部の閉塞状態を呈することとなる。この開放部３２の幅寸法は、杖Ｓの外径寸法より若干ながら狭く設定している。
【００２３】
なお、枠体３の枠面は略水平に設定しても良いが、本実施例ではより望ましい形態である抑止材側（反壁面側）に向かって若干ながら下方傾斜するように設定している。この傾斜の設定により、枠体３に立て掛けた杖Ｓは反壁面側に傾斜することとなる。
【００２４】
枠体３の上述した構成のため、杖Ｓを枠体３に立て掛け保持する時には、抑止材３３の弾発力に抗してこれを弾性変形させて開放部３２を広げ、杖Ｓを枠体３の閉塞側に進入させている。逆に枠体３の閉塞側に進入した杖Ｓを取り出す時には、進入時とは逆側に抑止材３３を弾性変形させて開放部３２を広げて取り出している。したがって、杖Ｓの立て掛け保持及び取り出し動作を行うには、抑止材３３を弾性変形させる力が必要となる。別言すると、杖ホルダ１を使用する者は、杖Ｓをある程度しっかりと握っていることが前提となり、立て掛け保持や取り出し時に杖Ｓを掴み損なって転倒させることなどは殆どない。
【００２５】
石突き受け部４は、支柱２と同じ材質の環状を成す帯板であり、支柱２の下端部の近傍（床面近傍）に配設している。この石突き受け部４は、杖Ｓを枠体３に立て掛け保持した時にその石突きＳｔを内部側に収納し、過剰なスライド（横滑り）を抑制して杖Ｓの転倒を防止している。
【００２６】
この石突き受け部４は、本実施例では環状の帯体であるが、上述したように石突きＳｔのスライドを抑制すれば良いため、上面開放の皿体、有底枠体、石突きの位置決め機能を有する擂鉢体等に適宜に変更可能である。
【００２７】
なお、石突き受け部４は本実施例の必須の構成要素ではなく、その配設を省略することも可能である。
［他の実施形態の可能性］
【００２８】
上記のように構成した杖ホルダ１は、杖を立て掛け保持するほかにも、いわゆる傘立てとしての使用も可能である。
【００２９】
また、各構成要素の材質をステンレス等の金属材ばかりではなく、樹脂や硬質ゴム等から構成しても良い。
【図面の簡単な説明】
【００３０】
【図１】本実施例の杖ホルダの外観を示す斜視図である。
【図２】本実施例の杖ホルダの外観を示す側面図である。
【図３】本実施例の杖ホルダの抑止材の作用を示す説明図（Ａ）、（Ｂ）である。
【符号の説明】
【００３１】
１  杖ホルダ
２  支柱（立設部位）
２１  取付板
２１ａ  吸盤
２１ｂ  ボルト穴
３  枠体
３１  湾曲部
３２  開放部
３３  抑止材
４  石突き受け部
Ｓ  杖
Ｓｔ  石突き
Ｗ  壁面
【図１】
2007007158.tif 000003
【図２】
2007007158.tif 000004
【図３】
2007007158.tif 000005